(57)【要約】  【課題】踊り場が構成するロフトにおける踊り場天井部と住宅屋根部との間の寸法を１，４００ｍｍ以上に設定することによる法定上独立した「階」とはせずとも、ロフトを開放感ある一室として構成できるとともに、主居室に在所する主婦等が直接ロフト内を可視的に見渡すことができるように構成する。  【解決手段】踊り場天井部４８の一側端側に二階主居室３１における二階主居室床部３１１方向に向かう段差４５を有して連続する段差状床部４６を延在形成し、段差状床部４６上に一のカウンター１０を設置するとともに、ロフト４と二階主居室３１とは二階主居室３１を吹き抜け構造にすることによって形成された開放部４７によって連接しており、開放部４７を通して二階主居室３１側からロフト４内が可視的に見渡されるように構成した。【選択図】図４
2014034792.tif 000002
【特許請求の範囲】
【請求項１】
住戸の下階及び上階を連結する階段の途中に踊り場を設けて構成され、該踊り場を構成する踊り場天井部と該踊り場天井部上に存する住宅屋根部との間に形成される空間部をロフトに構成する住宅において、前記踊り場天井部の一側端側に前記上階に設けた上階主居室における上階主居室床部方向に向かう段差を有して連続する段差状床部を延在形成し、該段差状床部上に一のカウンターを設置するとともに、前記ロフトと前記上階主居室とは前記上階主居室を吹き抜け構造にすることによって形成された開放部によって連接しており、該開放部を通して前記上階主居室側から前記ロフト内が可視的に見渡されるように構成したことを特徴とするロフト付き住宅。
【請求項２】
前記段差状床部の先端に、前記上階主居室床部側に向かって更に段差をもって連続する段差状追加床部を設け、該段差状追加床部上に前記一のカウンターに対して別構成となる他のカウンターを設けたことを特徴とする請求項１に記載のロフト付き住宅。
【請求項３】
前記他のカウンターが、前記上階主居室床部に設置する移動式のクローゼットに設置されていることを特徴とする請求項２に記載のロフト付き住宅。
【発明の詳細な説明】
【技術分野】
【０００１】
この発明は、住戸の下階と上階とを連結する階段の途中に踊り場を有し、該踊り場を構成する踊り場天井部と該踊り場天井部上に存する住宅屋根部との間の空間部をロフトとして構成したロフト付き住宅、特に戸建て住戸としてのロフト付き住宅に関する。
【背景技術】
【０００２】
この種の住宅は、戸建住宅であってもまた集合住宅であっても、各住戸の下階と上階とを階段によって連続させて行き来可能に構成している。そして、かかる階段の途中には、上り下り動作に区切りをつけるべく、ステップ床部及び踊り場天井部を有して構成する踊り場が設けられており、かかる踊り場における踊り場天井部と住宅屋根部との間は、通常空間部として構成されることになる。
【０００３】
そこで、この種の従来のロフト付き住宅は、かかる踊り場における踊り場天井部上に形成される空間部をロフトとして構成して、当該ロフトを子供部屋やレストルーム或いは納戸等にすることにより、住戸内に形成される空間部の有効利用を図っている（例えば、特許文献１乃至３を参照）。
【先行技術文献】
【特許文献】
【０００４】
【特許文献１】特開２００９−１３５８１号公報
【特許文献２】特開２００９‐２４４０７号公報
【特許文献３】特開２００９−２４９８１４号公報
【発明の開示】
【発明が解決しようとする課題】
【０００５】
かかる従来のロフト付き住宅の踊り場における踊り場天井部を利用して構成するロフトは、当該踊り場天井部と住宅屋根部との間の寸法が１，４０００ｍｍ以上に設定すると、法定上、主居室を配する下階及び上階とは別に独立した「階」（例えば、主居室が２階建て住戸を基本として構成されている場合に、３階建て住戸）として扱われてしまうことから、かかる事態を避けるべく、踊り場天井部と住宅屋根部との間の寸法を１，４００ｍｍ以下にするのが通常である。この結果、当該踊り場天井部上に例えばテーブルや本棚などを設置することによって、子供の勉強部屋或いは大人のレストルーム等として利用した場合、利用者には頭部等を住宅屋根部に当接させ不愉快な気分にさせてしまうことがあったりして、結局利用者には住宅屋根部がすぐ傍に迫って圧迫感を覚えさせてしまい、ロフトの利用者にとって快適であるとはいい得ないところである。
【０００６】
また、かかる従来のロフト付き住宅の踊り場における踊り場天井部を利用して構成するロフトは、上記したように子供の勉強部屋或いは大人のレストルーム等として利用できるように構成した場合には、下階主居室に対してはもちろん上階主居室から区画壁部によって遮蔽されていることになって、主居室特に上階主居室に対して遮蔽空間となって可視的ではないことになる。かかることから、例えば、上階主居室に在所する主婦等は、ロフト内に在所する子供等の様子を覗ったり、コミュニケーションを図ったりすることができず、主婦等と子供等との間が疎遠となってしまうことになり、勢い、居住者の豊かさ、ゆとり、行き届いた児童教育等を達成して快適生活を過ごすに当たって完全とはいい得ないことになる。
【０００７】
そこで、この発明は、踊り場が構成するロフトにおける踊り場天井部と住宅屋根部との間の寸法を１，４００ｍｍ以上に設定することによる法定上独立した「階」とはせずとも、ロフトを開放感ある一室として構成できるとともに、主居室に在所する主婦等が直接ロフト内を可視的に見渡すことができるように構成したロフト付き住宅を提供することを目的としている。
【課題を解決するための手段】
【０００８】
この発明に係るロフト付き住宅は、住戸の下階及び上階を連結する階段の途中に踊り場を設けて構成され、該踊り場を構成する踊り場天井部と該踊り場天井部上に存する住宅屋根部との間に形成される空間部をロフトに構成する住宅において、前記踊り場天井部の一側端側に前記上階に設けた上階主居室における上階主居室床部方向に向かう段差を有して連続する段差状床部を延在形成し、該段差状床部上に一のカウンターを設置するとともに、前記ロフトと前記上階主居室とは前記上階主居室を吹き抜け構造にすることによって形成された開放部によって連接しており、該開放部を通して前記上階主居室側から前記ロフト内が可視的に見渡されるように構成したことを特徴とする。
【０００９】
かかる構成を有するこの発明は、踊り場天井部の一端側に上階に設けた上階居室における上階主居室床部方向に向かって段差を有して連続する段差状床部を延在形成したことから、かかる段差状床部に設置した一のカウンターの利用者の脚部を段差状床部に延在させて収容することができて、結果的に、当該利用者における踊り場天井部と該踊り場天井部の上に存する住宅屋根部との距離を法定寸法の１，４００ｍｍ内に抑えたとしても、利用者の住宅屋根部からの距離感を大きく確保することができ、利用者のロフト内における快適感を向上させることができる。
【００１０】
また、かかる構成を有するこの発明は、上階主居室を吹き抜け構造にすることによって形成した開放部を通して、上階主居室側からロフト内が可視的に見渡されるように構成したことから、例えば、上階主居室側に在所する主婦等が、ロフト内に在所する利用者を、家事等の合間を見計らって開放部から見渡せることができ、主婦等と子供等との間が親近感をもって直接コミュニケーションを図ることができ、勢い、居住者の豊かさ、ゆとり、行き届いた児童教育等を達成して快適生活を過ごすことが期待できることになる。
【００１１】
また、この発明に係る一の実施の形態におけるロフト付き住宅は、上記発明において、前記段差状床部の先端に、前記上階主居室床部側に向かって更に段差をもって連続する段差状追加床部を設け、該段差状追加床部上に前記一のカウンターに対して別構成となる他のカウンターを設ける構成としている。
【００１２】
かかる構成を有する一の実施の形態は、ロフト内に複数のカウンターが設置されることになって、ロフト内の利用者人数を増やすことを可能になしたとしても、段差状追加床部が、段差状床部の先端に、前記上階主居室床部側に向かって更に段差をもって連続構成されていることにより、利用者が段差状床部に着座した状態で脚部を段差状追加床部に延在させることができることになり、結果的に、踊り場天井部と該踊り場天井部の上に存する住宅屋根部との距離を法定寸法の１，４００ｍｍ以下に抑えることができた上で、段差状追加床部と上階主居室床部との距離を当該法定寸法以上に設定することができて、ロフトの利用者人数を増やして、スペースの有効利用を図ることができる。
【００１３】
また、この発明に係る別の実施の形態におけるロフト付き住宅は、前記他のカウンターが、前記上階主居室床部に設置する移動式のクローゼットに設置されて構成している。
【００１４】
かかる構成を有する別の実施の形態においては、移動式のクローゼットが段差状床部に添設連続することにより、ロフトと一体化することができて、一のカウンターと他のカウンタ−における両利用者との距離を短くすることができ、一体感を高めることができる。  
【発明の効果】
【００１５】
この発明に係るロフト付き住宅は、踊り場天井部の一端側に上階に設けた上階居室における上階主居室床部方向に向かって段差を有して連続する段差状床部を延在形成したことから、かかる段差状床部に設置した一のカウンターの利用者の脚部を段差状床部に延在させて収容することができて、結果的に、当該利用者における踊り場天井部と該踊り場天井部の上に存する住宅屋根部との距離を法定寸法の１，４００ｍｍ以下に抑えたとしても、利用者の住宅屋根部からの距離感を大きく確保することができ、利用者のロフト内における快適感を向上させることができる。
【００１６】
加えて、この発明に係るロフト付き住宅は、上階主居室を吹き抜け構造にすることによって形成した開放部を通して、上階主居室側からロフト内が可視的に見渡されるように構成したことから、例えば、上階主居室側に在所する主婦等が、ロフト内に在所する利用者を、家事等の合間を見計らって開放部から見渡せることができ、主婦等と子供等との間が親近感をもって直接コミュニケーションを図ることができ、勢い、居住者の豊かさ、ゆとり、行き届いた児童教育等を達成して快適生活を過ごすことが期待できることになる。
【図面の簡単な説明】
【００１７】
【図１】この発明の第一実施例に係るロフト付き住宅の下階例えば一階の間取りを示す平面断面図である。
【図２】図１におけるロフト付き住宅における下階部分に対応する上階例えば二階の間取りを示す平面断面図である。
【図３】同じく、この発明の第一実施例に係るロフト付き住宅の下階および上階を連結する階段途中に設けた踊り場における踊り場天井部上に設けたロフト部分を含めて吹き抜け状態に構成された上階部分の概略平面断面図である。
【図４】同じく、この発明の第一実施例に係るロフト付き住宅の上階及びロフト部分を含むように切断して描画した概略横断面図である。
【図５】この発明の第二実施例に係るロフト付き住宅のロフト部分を描画した概略断面図である。
【図６】この発明の第二実施例の変形例に係るロフト付き住宅における下階部分に対応する上階例えば二階の間取りを示す平面断面図である。
【図７】図６における二階主居室床部に設置する移動式クローゼットを描画した斜視図である。
【図８】図１に示すこの発明のロフト付き住宅における下階例えば一階の間取りの変形例を描画した平面断面図である。
【発明を実施するための形態】
【００１８】
この発明に係る実施例におけるロフト付き住宅は、踊り場が構成するロフトにおける踊り場天井部と住宅屋根部との間の寸法を１，４００ｍｍ以上に設定することによる法定上独立した「階」とはせずとも、ロフトを開放感ある一室として構成できるとともに、主居室に在所する主婦等が直接ロフト内を可視的に見渡すことができるように構成している。
【００１９】
次に、図１〜図４を用いて、この発明の第一実施例に係るロフト付き住宅について説明する。図１〜図４に示すロフト付き住宅（以下、単に、「住宅」と称する）１は、多層階、例えば、下階である一階２及び上階である二階３を有する二階建て住宅にて構成され、且つ、ロフト４を有して構成されている。
【００２０】
そして、先ず、下階である一階２は、図１に示すように、住宅１の例えば外壁１Ａにおける東側部分によって画成された部位に、下階居室としての一階主居室２１を構成する第一居室２１１及び第二居室２１２がそれぞれ例えば北から南方向に向かって並列した状態で配設されている。第一居室２１１と第二居室２１２とは、内壁２２によって区画された洋室としての独立部屋としてそれぞれ構成されている。第一居室２１１は、ダブルベッド２１１ａやクローゼット２１１ｂを配置した例えば主寝室として構成されており、また、第二居室２１２は、一対のシングルベッド２１２ａやクローゼット２１２ｂなどを配して、例えば子供用寝室として構成されている。
【００２１】
第一居室２１１の北側角部には、ウォーキングクローゼット２１１Ａが設置されており、ウォーキングクローゼット２１１Ａは、その西向き面において、ドアー２１１Ａ−１によって開閉可能に構成されている。
【００２２】
更にまた、一階２には、住宅１の南東側角部において、南側が外側玄関ドア２４１によって開閉される玄関出入り口２４２となった玄関ポーチ２４が配置され、玄関ポーチ２４の北側は、土間収納室２５が配置されているとともに、副階段６ａが設置されている。。
【００２３】
玄関ポーチ２４の西北側には、上がり框を配設することにより上がり段差をもって構成する玄関ホール２３が連続形成されている。また、玄関ホール２３は、主階段６によって中途部に踊り場５（図２参照）が介在した状態で二階３とを連係している。
【００２４】
次に、図２において、踊り場５は、住宅１の北側における東西方向全域に延在したステップ床部５１を有して、一階２及び二階３に対して、中二階的構成となっている。そして、ステップ床部５１は、東西方向に順次並設された便所５１１、洗面所５１２および浴室５１３が配設されている。
【００２５】
便所５１１は、南側前面が便所ドアー５１５によって踊り場５において隔室となっており、また、洗面所５１２は、東側前面が洗面所ドアー５１６によって開閉可能に画成されており、更に、洗面所５１２と浴室５１３とは、浴室５１３の東前面に設置した浴室ドアー５１７によって、開閉可能に画成されている。
【００２６】
洗面所５１２の北側には、外壁１Ａの北側内面に沿うように、洗面化粧台及び洗濯機置き場５１２ａ等が配設されている。また、洗面所５１２の南側には、東西方向に順次リネン室５１２ｂ、クローゼット５１２ｃ及び二階用階段３２が配設されている。二階用階段３２には、二階３を構成する上階主居室としての二階主居室３１が下がり段差をもって連係している。
【００２７】
二階主居室３１は、二階用階段３２の西側において、浴室５１３にまで連続する中間内壁３３によって、ピアノ、おもちゃ置き場或いはミセスコーナー等として利用可能な区画スペース３４に構成されている。そして、区画スペース３４にピアノなどを設置する場合に対処すべく、中間内壁３３には、外壁１Ａの西側を含めて、防音パネル（不図示）を設置しておくとよい。
【００２８】
また、踊り場５におけるリネン室５１２ｂ及びクローゼット５１２ｃの南側には、本棚５１４ａが組み付けられたクローゼット５１４が配置されている。クローゼット５１４は、二階主居室床部３１１に固定設置されており、西側において開閉できるようにドアー５１４ｂが設置されている。本棚５１４ａは、南側前面において、不図示の収容書籍等を出し入れ可能とするように開口している。
【００２９】
更に、二階主居室３１は、区画スペース３４の南側において、テーブル椅子セット３５ａを載置したダイニングコーナー３５を配して構成している。続いて、二階主居室３１は、ダイニングコーナー３５の南側において、キッチンセット３６ａ或いは食器棚セット３６ｂ等を載置したキッチンコーナー３６を配して構成している。続いて、二階主居室３１は、キッチンコーナー３６の東側において、ソファー３７ａ、テーブル３７ｂ或いはテレビジョン３７ｃなどを載置したリビングコーナー３７を配して構成している。
【００３０】
加えて、二階主居室３１の南端部には、キッチンコーナー３６及びリビングコーナー３７に面するように、ベランダ３８が、勝手口ドアー３６ｃ及び引き戸３８ａによって内外を画成された状態で屋外に開放した状態で、続いている。キッチンコーナー３６は、その南側において、勝手口ドアー３６ｃによって出入り可能な勝手口３６Ａが設置されている。ベランダ３８は、エアコン装置３８Ｂ或いは手洗い器３８Ｄなどの設置場所に構成されている。
【００３１】
かかる構成により、一階主居室２１は、主階段６の上段側が踊り場５に連係することによって、踊り場５を介して二階主居室３１との間で行き来できるように構成されており、主階段６の下段側が一階２に配設された玄関ホール２３に配置されていることになる。
【００３２】
更に説明すると、一階主居室２１は、中央部より西側において、北南方向に順次例えば主寝室としての第一居室２１１及び例えば子供部屋としての第二居室２１２が配設されており、第一居室２１１は、玄関ホール２３の北側に配設した扉２１３によって玄関ホール２３とは画成され、且つ、第二居室２１２は、略中央部が仕切り板２１２Ｃなどによって南北方向に分室２１２Ａと分室、２１２Ｂとに分割されている。分室２１２Ａは、引き戸２１４によって、また、分室２１２Ｂは、扉２１５によって、玄関ホール２３との行き来ができるように画成されている。そして、第一居室２１１は、玄関ホール２３に対して階段２１６によって上がり段差をもって連係している。第二居室２１２と玄関ホール２３とは、段差なしで連係している。
【００３３】
前述したように、住宅１の一階２と二階３を連係する階段としての主階段６の途中に踊り場５が配設されているが、かかる踊り場５は、ステップ床部５１及び踊り場天井部４８を有して構成されていおり、踊り場天井部４８と踊り場天井部４８上に存する住宅屋根部７との間は、空間部となってロフト４を構成している（図３及び図４を参照）。従って、踊り場天井部４８は、ロフト４におけるロフト床部を構成していることになる。そして、ロフト４は、図３に示すように、ステップ床部５１が住宅１の北側において東西幅方向全域に延在することによって構成されている。
【００３４】
かかるロフト４は、ロフト連係階段４１によって、ステップ床部５１に連係しており、北西側の角部において外壁１Ａに添設するように東西方向に幅広となったクローゼット４２が配設されているとともに、南東側の角部にも南北方向の幅広となったクローゼット４３が配設されている。従って、クローゼット４２、４３の間においては、ロフト床部４４が、居住スペースになって構成されていることになる。
【００３５】
踊り場天井部４８の南側先端部には、図４に示すように、二階主居室３１の床部３１１方向に向かって段差４５をもって連続する段差状床部４６が形成されている。また、ロフト４は、二階主居室３１が吹き抜け構造となっていることから、開放部４７が形成されている。そして、段差状床部４６には、子供９等が勉強や読書する際に机などとして利用する一のカウンター１０が配置されている。この結果、ロフト４は、二階主居室３１に在所する主婦８等が、開放部４７を通じて、踊り場天井部４８上に在所している子供９等を可視的に見渡すことができるように構成されていることになる。
【００３６】
開放部４７には、二階主居室３１側に子供等が不用意に落下しないように、柵などを設置しておくとよい。
【００３７】
上記のように構成する第一実施例においては、踊り場天井部４８の一端側に上階に設けた二階主居室３１における二階主居室床部３１１方向に向かって段差４５をもって連続する段差状床部４６を形成したことから、かかる段差状床部４６に設置した一のカウンター１０の利用者である例えば子供９の脚部を段差状床部４６に延在させて収容することができて、結果的に、当該利用者における踊り場天井部４８と踊り場天井部４８の上に存する住宅屋根部７との距離を法定寸法の１，４００ｍｍ以下に抑えたとしても、利用者例えば子供９の住宅屋根部７からの距離感を確保大きく確保することができ、利用者のロフト４内における快適感を向上させることができる。
【００３８】
また、かかる構成を有する上記第一実施例は、二階主居室３１を吹き抜け構造にすることによって形成した開放部４７を通して、二階主居室３１側からロフト４内が可視的に見渡されるように構成したことから、例えば、二階主居室３１のキッチンコーナー３６側に在所する主婦８等が、ロフト４内に在所する子供９或いはロフト床部４４に寝そべっている大人９ａ等の利用者を、家事等の合間を拭って開放部４７を通して見渡せることができ、主婦８等と子供９や大人９ａ等との間が親近性をもって直接コミュニケーションを図ることができ、勢い、居住者の豊かさ、ゆとり、行き届いた児童教育等を達成して快適生活を過ごすことが期待できることになる。
【００３９】
更に、上記第一実施例においては、便所５１１、洗面所５１２或いは浴室５１３は、一階主居室２１および二階主居室３１とは区画独立構成の踊り場５に配設されていることから、一階２及び二階３にそれぞれ在所する利用者に対して、互いに独立するも近接していることになって、利用者の利用上の便宜を図っている。
【００４０】
図５は、この発明に係る第二実施例を示している。かかる第二実施例においては、上記第一実施例における段差状床部４６の先端に、二階居室用床部３１１側に向かって別の段差４５ａをもって連続する段差状追加床部４９を設けている。段差状追加床部４９は、一のカウンター１０に対して別構成の他のカウンター１１を設けてある。他のカウンター１１は、二階居室用床部３１１側に延在するカウンター脚部１１ａによって、二階居室用床部３１１に載置固定されている。そして、かかる第三実施例は、段差状床部４６が延長形成することによって、他の子供９−１等の利用者の着座部４５ｂが構成されている。
【００４１】
このように構成する第二実施例においては、上記第一実施例に加えて、ロフト４内に一のカウンター１０の他に他のカウンター１１の存在により、複数のカウンターが実質的に設置されることになって、ロフト４内の利用者人数を増やすことを可能になしたとしても、段差状追加床部４９が、段差状床部４６の先端に、上階主居室床部３１１側に向かって更に段差をもって連続構成されていることにより、踊り場天井部４８と踊り場天井部４８上に存する住宅屋根部７との距離を法定寸法の１，４００ｍｍ内に抑ることができることになる。結果的に、踊り場天井部４８と踊り場天井部４８の上に存する住宅屋根部７との距離を法定寸法の１，４００ｍｍ以下に抑えることができた上で、段差状追加床部４９と上階主居室床部３１１との距離を当該法定寸法以上に設定することができて、ロフト４の利用者人数を増やして、スペースの有効利用を図ることができる。
【００４２】
上記第一実施例においては、踊り場５におけるクローゼット５１２ｃ及びリネン室５１２ｂの南側に配置したクローゼット５１４は、二階主居室床部３１１に固定設置したが、これに限定されるものではなく、図５に示す上記第二実施例の変形例として、図６及び図７に示す如く、移動式構造にて構成することができる。
【００４３】
かかるクローゼット５１４を移動式構造に構成することから、クローゼット５１４は、図７に示すように、下端部に複数の車輪５１４ｃを設けて構成している。この場合、移動式のクローゼット５１４は、その天井部の後方側の一部切欠くことによって他のカウンター１１を形成している。他のカウンター１１の後方側（北側）の切欠き開口部５１４ｅには、上下方向で対向するように棚状部を形成することによって、子供９が着座可能となる椅子部５１４ｆが形成されている。従って、椅子部５１４ｆは、上記第二実施例における段差状追加床部４９に相当するものである。そして、クローゼット５１４は、椅子部５１４ｆより段部５１４ｇを介して前面側である組み付け型の本棚５１４ａ側に延設することによって、子供９の脚部を載置するための足載せ部５１４ｈを有して構成している。
【００４４】
このように構成された第二実施例の変形例においては、移動式のクローゼット５１４は、椅子部５１４ｆが段差状床部４６と連係することにより、ロフト４と一体化することができて、一のカウンタ−１０の利用者との距離を短くすることができ、一体感を高めることができる。
【００４５】
更には、かかる移動式のクローゼット５１４は、二階主居室３１に設置することにより、同一空間の二階主居室３１とは異なる空間を構成することになり、しかも、吹き抜け構造にした結果高くなってしまった天井に対する脚立の役割を担わせることができ、加えて、クローゼット構成壁５１４ｉを有孔ボードで構成することによって吸音効果をもたらし、楽器演奏などの音の低減に役立たせるようにもできることになる。
【００４６】
次に、図８を用いて、第１実施例における下階例えば一階における平面構成の変形例を説明する。
【００４７】
図８によれば、住宅１の例えば東側部分における外壁１Ａによって画成された部分に、下階居室としての一階主居室２１を構成する第一居室２１１及び第二居室２１２がそれぞれ例えば南側から北側に向かって並列した状態で配設されている。第一居室２１１と第二居室２１２とは、内壁２２によって区画された洋室としての独立部屋としてそれぞれ構成されている。
【００４８】
第一居室２１１は、その西側において、一対のシングルベッド２１１ｃが隣接して並置されているとともに、東側において、ウォーキングクローゼット２１１Ｂが配設されている。ウォーキングクローゼット２１１Ｂは、西側面における中央より南側によって部分をドア−２１１Ｂ−１によって開閉可能に構成している。更に、第一居室２１１においては、ドアー２１１Ｂ−１の南側に位置するように、小型のクローゼット２１１Ｂ−２が配置されている。従って、第一居室２１１は、例えば主寝室として構成されていることになる。
【００４９】
第二居室２１２は、その北西角部側における外壁１Ａに沿った状態でシングルベット２１２ｃを配置するとともに、シングルベッド２１２ｃの南側に並置するように、背低のクローゼット２１２ｄが配置されている。更に、第二居室２１２における内壁２２のに隣接して西側に、ドアー２１２ｅ−１によって開閉されるように、括り付けの洋服ダンスとしてのクローゼット２１２ｅが設置されている。従って、第二居室２１２は、例えば子供用寝室として構成されていることになる。
【００５０】
また、一階２には、住宅１の北東側角部において、北側が外側玄関ドアによって開閉される玄関出入り口２４２となった玄関ポーチ２４が配置され、玄関ポーチ２４の南側において、上がり框を配設することによって上がり段差をもって、玄関ホール２３が連続形成されている。また、玄関ホール２３は、螺旋状に形成された主階段６によって、第一実施例と同様に図２に示すような踊り場５が介在した状態で二階３とに連係している。
【００５１】
加えて、玄関ホール２３の南側には、ドアー２１２ｆ−１によって開閉されるクローゼット２１２ｆが存している。クローゼット２１２ｆは、内壁２２の先端部を断面コ字状に延在させることによってクローゼット２１２ｅの東側に並列するように第二居室２１２側に張り出し形成されている。
【００５２】
玄関ポーチ２４に面して、住宅１の北東角部には、げた箱２４ｆを設置した収納室２４５が配設されており、収納室２４５は、玄関ポーチ２４に面してドアー２４６によって開閉可能に構成されている。
【００５３】
なお、玄関ホール２３と第一居室２１１とは、ドアー２１５ａを介して出入り可能に構成されており、また、玄関ホール２３と第二居室２１２とは、ドアー２１３ａを介して出入り可能に構成されている。
【００５４】
主階段６の下部は、玄関ポーチ２４とウォーキングクローゼット２１１Ｂとに挟まれた状態で、収納室２５に構成されている。
【産業上の利用可能性】
【００５５】
以上説明したこの発明は、踊り場が構成するロフトにおける踊り場天井部と住宅屋根部との間の寸法を１，４００ｍｍ以上に設定することによる法定上独立した「階」とはせずとも、ロフトを開放感ある一室として構成できるとともに、主居室に在所する主婦等が直接ロフト内を可視的に見渡すことができるように構成していることから、住戸の下階と上階とを連結する階段の途中に踊り場を有し、該踊り場を構成する踊り場天井部と住宅屋根部との間における空間部をロフトとして構成したロフト付き住宅、特に戸建て住戸としてのロフト付き住宅等として好適であるといえる。
【符号の説明】
【００５６】
１・・・住宅
１１・・外壁
２・・・一階（下階）
２１  一階主居室
３・・・二階（上階）
３１・・二階主居室（上階主居室）
３１１・・  二階主居室床部（上階主居室床部）
４・・・ロフト
４５・・段差
４５ａ・・段差
４６・・段差状床部
４７・・開放部
４８・・踊り場天井部
４９・・段差状追加床部
５・・・踊り場
５１・・ステップ床部
５１４・・クローゼット
５１４ｄ・・補助カウンター
７・・・住宅屋根部
１０・・・一のカウンター
１１・・・他のカウンター
【図１】
2014034792.tif 000003
【図２】
2014034792.tif 000004
【図３】
2014034792.tif 000005
【図４】
2014034792.tif 000006
【図５】
2014034792.tif 000007
【図６】
2014034792.tif 000008
【図７】
2014034792.tif 000009
【図８】
2014034792.tif 000010